(57)【要約】【課題】地図の縮尺を、距離以外の指標で表現することができる情報処理システム、情報処理プログラム、情報処理装置、および、情報処理方法を提供することを課題とする。【解決手段】本発明は、単位距離あたりの、設定された指標に基づく量を取得し、地図情報と、単位距離を示す目盛表示データである距離目盛表示データ、または、設定された指標に基づく量を示す目盛表示データである指標目盛表示データと、設定された指標に基づく量と、を表示させる。【選択図】図６
2020095048.tif 000002
【特許請求の範囲】
【請求項１】
単位距離あたりの、ユーザにより選択された指標に基づく量を取得する指標量取得手段と、
地図情報と、前記単位距離または前記量を示す目盛表示データと、前記量と、を表示させる地図表示制御手段と、
を備えたことを特徴とする、情報処理システム。
【請求項２】
請求項１に記載の情報処理システムにおいて、
前記指標量取得手段は、
前記単位距離あたりの、前記ユーザにより予め選択された前記指標を設定し、設定された前記指標に基づく前記量を取得することを特徴とする、情報処理システム。
【請求項３】
請求項１または２に記載の情報処理システムにおいて、
前記単位距離、および／または、前記量が切りのよい数字となるように調整した調整距離、および／または、調整量を取得する調整手段と、
前記地図情報と、前記調整距離または前記調整量を示す前記目盛表示データと、前記調整量と、を表示させる調整表示制御手段と、
を更に備えたことを特徴とする、情報処理システム。
【請求項４】
請求項１乃至３のいずれか一つに記載の情報処理システムにおいて、
前記量に基づく目盛を付加した、地図上の二地点を結ぶ線に関する線情報を表示させる線表示制御手段、
を更に備えたことを特徴とする、情報処理システム。
【請求項５】
請求項１乃至４のいずれか一つに記載の情報処理システムにおいて、
前記量を表す矩形図形を表示させる矩形図形表示制御手段、
を更に備えたことを特徴とする、情報処理システム。
【請求項６】
請求項１乃至５のいずれか一つに記載の情報処理システムにおいて、
前記指標は、
移動ログに基づく移動速度であることを特徴とする、情報処理システム。
【請求項７】
請求項１乃至６のいずれか一つに記載の情報処理システムにおいて、
前記量は、
移動種別に応じたものであることを特徴とする、情報処理システム。
【請求項８】
コンピュータを、
単位距離あたりの、ユーザにより選択された指標に基づく量を取得する指標量取得手段、
地図情報と、前記単位距離または前記量を示す目盛表示データと、前記量と、を表示させる地図表示制御手段、
として機能させることを特徴とする情報処理プログラム。
【請求項９】
コンピュータを、
単位距離あたりの、ユーザにより選択された指標に基づく量を取得する指標量取得手段、
地図情報と、前記単位距離または前記量を示す目盛表示データと、前記量と、を含む出力情報を端末装置に送信することにより、当該出力情報を当該端末装置において表示させる地図表示制御手段、
として機能させることを特徴とする情報処理プログラム。
【請求項１０】
通信可能に接続された複数のコンピュータによって構成される情報処理システムであって、
単位距離あたりの、ユーザにより選択された指標に基づく量を取得する指標量取得手段と、
地図情報と、前記単位距離または前記量を示す目盛表示データと、前記量と、を表示させる地図表示制御手段と、
を備えた情報処理システムを機能させるために、
上記コンピュータの少なくとも１つを上記手段の少なくとも１つとして機能させるための情報処理プログラム。
【請求項１１】
通信可能に接続された複数のコンピュータによって、請求項１乃至７のいずれかに記載の情報処理システムを機能させるために、上記コンピュータのうちの１つを請求項１乃至７のいずれかに記載の情報処理システムにおける各手段の少なくとも１つとして機能させるための情報処理プログラム。
【請求項１２】
コンピュータを、請求項１乃至７のいずれかに記載の情報処理システムにおける各手段の少なくとも１つとして機能させるための情報処理プログラム。
【請求項１３】
通信可能に接続された複数の情報処理装置によって、
単位距離あたりの、ユーザにより選択された指標に基づく量を取得する指標量取得手段と、
地図情報と、前記単位距離または前記量を示す目盛表示データと、前記量と、を表示させる地図表示制御手段と、
を備えた情報処理システムを構成するために、
上記手段の少なくとも１つを備えたことを特徴とする上記情報処理装置。
【請求項１４】
単位距離あたりの、ユーザにより選択された指標に基づく量を取得する指標量取得ステップと、
地図情報と、前記単位距離または前記量を示す目盛表示データと、前記量と、を表示させる地図表示制御ステップと、
を備えることを特徴とする情報処理方法。
【発明の詳細な説明】
【技術分野】
【０００１】
本発明は、情報処理システム、情報処理プログラム、情報処理装置、および、情報処理方法に関する。
【背景技術】
【０００２】
従来から、地図表示の視認性を高める技術が開示されている。
【０００３】
例えば、特許文献１に記載の地図表示装置においては、到達圏探索の結果をディスプレイに出力する際、時間軸のスライダーバーを操作することで、指定した時間に該当する施設を強調表示させる技術が開示されている。
【先行技術文献】
【特許文献】
【０００４】
【特許文献１】特開２００７−２９８３０１号公報
【発明の概要】
【発明が解決しようとする課題】
【０００５】
しかしながら、特許文献１に記載の従来の地図表示装置においては、スライダーバーの長さと、表示される地図上における距離と、が明確に関連付けられていないために操作者に誤解をまねくという問題点を有していた。
【０００６】
本発明は、上記問題点に鑑みてなされたもので、地図の縮尺を、距離以外の指標で表現することができる情報処理システム、情報処理プログラム、情報処理装置、および、情報処理方法を提供することを目的とする。
【課題を解決するための手段】
【０００７】
このような目的を達成するため、本発明は、単位距離あたりの、設定された指標に基づく量を取得する指標量取得手段と、地図情報と、前記単位距離または前記量を示す目盛表示データと、前記量と、を表示させる地図表示制御手段と、を備えたことを特徴とする。
【発明の効果】
【０００８】
この発明によれば単位距離あたりの、設定された指標に基づく量を取得し、地図情報と、単位距離または量を示す目盛表示データと、量と、を表示させるので、地図を見るだけで、距離に関連した指標情報をすばやく簡単に得ることができるという効果を奏する。
【図面の簡単な説明】
【０００９】
【図１】図１は、本実施形態における情報処理システムの概略構成の一例を示す概念図である。
【図２】図２は、本実施形態における情報処理サーバの構成の一例を示すブロック図である。
【図３】図３は、本実施形態における端末装置の構成の一例を示すブロック図である。
【図４】図４は、本実施形態における情報処理システムの構成の一例を示すブロック図である。
【図５】図５は、本実施形態における情報処理システムの処理の一例を示すフローチャートである。
【図６】図６は、本実施形態における表示画面の一例を示す図である。
【図７】図７は、本実施形態における表示画面の一例を示す図である。
【図８】図８は、本実施形態における表示画面の一例を示す図である。
【図９】図９は、本実施形態における表示画面の一例を示す図である。
【図１０】図１０は、本実施形態における表示画面の一例を示す図である。
【図１１】図１１は、本実施形態における表示画面の一例を示す図である。
【発明を実施するための形態】
【００１０】
以下に、本発明にかかる情報処理システム、情報処理プログラム、情報処理装置、および、情報処理方法の実施の形態を図面に基づいて詳細に説明する。なお、この実施の形態によりこの発明が限定されるものではない。
【００１１】
本発明の実施形態について、図１乃至図１１を参照して以下に説明する。但し、以下に示す本実施形態は、本発明の技術思想を具体化するための情報処理システムを例示するものであって、本発明をこの情報処理システムに特定することを意図するものではなく、特許請求の範囲に含まれるその他の実施形態の情報処理システムにも等しく適用し得るものである。例えば、本実施形態で例示する情報処理システムにおけるサーバ側と端末側の機能分散の形態は以下に限られず、同様の効果や機能を奏し得る範囲において、任意の単位で機能的または物理的に分散・統合して構成することができる。
【００１２】
［情報処理システムの構成］
まず、本実施形態における情報処理システムの構成の一例について、図１を参照して以下に説明する。図１は、本実施形態における情報処理システムの概略構成の一例を示す概念図である。なお、本実施形態においては、通信型のナビゲーションを提供する情報処理システムを具体例として説明するが、本発明はこれに限ることなく、スタンドアローンタイプの情報処理システムなどにも適用可能である。
【００１３】
また、本実施形態における情報処理システムにおいては、各構成が端末装置１００または情報処理サーバ２００のいずれかに備えられて処理を行うものを、情報処理システムとして説明するが、当該実施例に限らず、各構成が分離した複数の筐体（例えば、情報処理装置等）内に備えられ、ネットワーク３００等を介して接続されて一つの概念としてのシステムまたは装置を構成するもの（例えば、クラウドコンピューティング等）であってもよい。
【００１４】
図１に示すように、本実施形態の情報処理システムは、概略的に、地図情報提供および経路探索等を行うことができる情報処理サーバ２００、および、単数または複数の経路案内アプリケーションおよび乗換案内アプリケーション等を搭載した端末装置１００、を通信可能に接続して構成される。ここで、図１に示すように、通信には、一例として、ネットワーク３００を介した有線・無線通信等の遠隔通信等を含む。また、これら情報処理システムの各部は任意の通信路を介して通信可能に接続されている。
【００１５】
［情報処理サーバ２００の構成］
次に、本実施形態における情報処理サーバ２００の構成の一例について、図２を参照して以下に説明する。図２は、本実施形態における情報処理サーバ２００の構成の一例を示すブロック図であり、該構成のうち本発明に関係する部分のみを概念的に示している。
【００１６】
ここで、図２に示すように、本実施形態の情報処理システムにおいて、情報処理サーバ２００は、概略的に、制御部２０２と記憶部２０６とを少なくとも備えている。図２において、情報処理サーバ２００は、単位距離あたりの、設定された指標に基づく量を取得し、地図情報と、単位距離または量を示す目盛表示データと、量と、を表示させる等の機能を有する。
【００１７】
ここで、情報処理サーバ２００は、情報処理サーバ２００とネットワーク３００との間における通信制御を行う通信制御インターフェース部２０４を備えていてもよい。ここで、通信制御インターフェース部２０４は、通信回線や電話回線等に接続されるアンテナやルータ等の通信装置（図示せず）に接続されるインターフェースであってもよい。すなわち、通信制御インターフェース部２０４は、外部装置（例えば、端末装置１００等）と通信回線を介してデータを通信する機能を有していてもよい。
【００１８】
ここで、ネットワーク３００は、端末装置１００、情報処理サーバ２００、外部装置、および／または、外部システムを相互に接続する機能を有し、例えば、インターネット、電話回線網（携帯端末回線網および一般電話回線網等）、イントラネット、または、電力線通信（ＰＬＣ）等であってもよい。また、制御部２０２は、各種処理を行う制御手段である。ここで、制御部２０２は、通信制御インターフェース部２０４を介してネットワーク３００を経由し、外部装置（例えば、端末装置１００等）と相互に通信可能に接続され、外部装置（例えば、端末装置１００等）との間のデータ送受信処理等を行ってもよい。
【００１９】
また、記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（ネットワーク情報データベース２０６ａ、交通情報データベース２０６ｂ、地図情報データベース２０６ｃ、案内情報データベース２０６ｄ、および、指標データベース２０６ｅ等）を格納する。
【００２０】
なお、記憶部２０６は、各構成要素（ネットワーク情報データベース２０６ａ、交通情報データベース２０６ｂ、地図情報データベース２０６ｃ、案内情報データベース２０６ｄ、および、指標データベース２０６ｅ等）の全部または一部を備えていてもよい。また、情報処理サーバ２００は、外部装置に備えられた同等の各構成要素をネットワーク３００を介して利用することで、各構成要素が記憶部２０６に備えられているものとしてもよい。
【００２１】
これら記憶部２０６の各構成要素のうち、ネットワーク情報データベース２０６ａは、交通網を規定するネットワークに関するネットワーク情報を記憶するネットワーク情報記憶手段である。ここで、ネットワーク情報は、交通網表現上の結節点であるノードと、当該ノード間を接続するリンクと、の組み合わせにより表現されるネットワークに関する情報、すなわち、ノード情報とリンク情報との組み合わせであってもよい。また、ノード情報には、ノードを示すアイコン等のウィジェットを含んでいてもよい。また、ネットワーク情報は、道路ネットワーク情報、路線網ネットワーク情報、および、施設内ネットワーク情報を含んでいてもよい。
【００２２】
また、ネットワーク情報データベース２０６ａは、複数のネットワークが接続する接続位置である接続ノードに関するノード情報である接続ノード情報を記憶していてもよい。これらネットワーク情報は、ネットワーク情報データベース２０６ａに予め記憶されており、情報処理サーバ２００の制御部２０２は、定期的に、および／または、制御部２０２による処理に応じて（例えば、制御部２０２においてデータが必要となる契機等に）ネットワーク３００を介して最新のデータを外部装置（例えば、地図情報を提供する地図提供サーバなど）等からダウンロードしてネットワーク情報データベース２０６ａに記憶されたネットワーク情報をアップデートしてもよい。
【００２３】
また、交通情報データベース２０６ｂは、交通情報を記憶する交通情報記憶手段である。ここで、交通情報は、交通機関の時刻表に関する時刻表情報を含んでいてもよい。ここで、時刻表情報は、交通機関の停留地点毎の時刻表に関する停留地点時刻表情報、および、交通機関毎の運行時刻表に関する運行時刻表情報を含んでいてもよい。また、時刻表情報は、鉄道、飛行機、バス、および、船等の各交通機関の時刻表を表す情報であってもよい。
【００２４】
また、これら交通情報は、交通情報データベース２０６ｂに予め記憶されており、情報処理サーバ２００の制御部２０２は、定期的（例えば、５分毎等）に、および／または、制御部２０２による処理に応じて（例えば、制御部２０２においてデータが必要となる契機等に）ネットワーク３００を介して最新のデータを外部システム（例えば、警察庁、ＶＩＣＳ（登録商標）（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）、および、ＡＴｉＳ（登録商標）（Ａｄｖａｎｃｅｄ  Ｔｒａｆｆｉｃ  Ｉｎｆｏｒｍａｔｉｏｎ  Ｓｅｒｖｉｃｅ）、日本道路交通情報センター（登録商標）（ＪＡＲＴＩＣ（登録商標））、鉄道会社、バス会社、および、交通情報配信サーバ（サービス）など）等からダウンロードして交通情報データベース２０６ｂに記憶された交通情報をアップデートしてもよい。
【００２５】
また、地図情報データベース２０６ｃは、地図に関する地図情報を記憶する地図情報記憶手段である。ここで、地図情報データベース２０６ｃは、複数の縮尺の地図に関する地図情報、または、複数の縮尺の地図に対応可能な地図情報を記憶していてもよい。すなわち、地図情報は、複数の縮尺のラスタ形式の地図描画用の画像、または、ベクタ形式の地図描画用の画像等を含んでいてもよい。
【００２６】
ここで、地図情報は、例えば、縮尺に従ってメッシュ化された地図情報（例えば、ＪＩＳ規格の第１〜３次地域区画メッシュデータ、および、１００ｍメッシュデータ等）等の屋外地図情報であってもよい。また、地図情報は、全国および各地方の道路地図情報等の屋外地図情報を含んでいてもよい。また、地図情報データベース２０６ｃは、公共交通機関の路線図に関する路線図情報を記憶していてもよい。
【００２７】
また、これら地図情報等は、地図情報データベース２０６ｃに予め記憶されており、情報処理サーバ２００の制御部２０２は、定期的に、および／または、制御部２０２による処理に応じて（例えば、制御部２０２においてデータが必要となる契機等に）ネットワーク３００を介して最新のデータを外部装置（例えば、地図情報を提供する地図提供サーバなど）等からダウンロードして地図情報データベース２０６ｃに記憶された地図情報等をアップデートしてもよい。
【００２８】
また、案内情報データベース２０６ｄは、案内情報（音声案内情報および表示案内情報等）を記憶する案内情報記憶手段である。ここで、案内情報に含まれる表示案内情報は、分岐点等における進行方向等に対応付けられた、右左折等の誘導を画面に表示する矢印ナビゲーションであるターンバイターン（ＴＢＴ）、および、現在位置が目標物に近づいた旨を知らせる文字データ等であってもよく、例えば、端末装置１００の制御部が表示案内を実行する際に用いられてもよい。また、表示案内情報は、交差点周辺の低縮尺の地図に関する地図情報（例えば、交差点拡大図等）、道路標識の道路標識画像、および、道路標示の道路表示画像等を含んでいてもよい。
【００２９】
また、指標データベース２０６ｅは、距離に関連した指標に関する指標情報を記憶する輸送体種別スコア記憶手段である。ここで、指標情報は、指標に基づく量であってもよい。また、指標は、移動ログに基づく移動速度であってもよい。また、指標は、所要時間、燃費（例えば、消費燃料、または、消費金額等）、消費カロリー（例えば、ごはん何杯分、または、ビール何杯分等）、または、天候関連情報（例えば、紫外線照射量（シミができる確率）、降雨量、降雪量、発汗量、または、乾燥度合等）などであってもよい。
【００３０】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行ってもよい。例えば、制御部２０２は、これらのプログラム等により、外部装置（例えば、端末装置１００等）との間のデータ送受信処理、および／または、記憶部２０６におけるデータ入出力処理（格納処理、および、抽出処理）等を行ってもよい。
【００３１】
制御部２０２は、機能概念的に、現在位置情報取得部２０２ａ、経路取得部２０２ｂ、指標量取得部２０２ｃ、調整部２０２ｄ、出力情報生成部２０２ｅ、および、表示制御部２０２ｆを備える。なお、制御部２０２は、各構成要素（現在位置情報取得部２０２ａ、経路取得部２０２ｂ、指標量取得部２０２ｃ、調整部２０２ｄ、出力情報生成部２０２ｅ、および、表示制御部２０２ｆ等）を備えていてもよい。
【００３２】
このうち、現在位置情報取得部２０２ａは、端末装置１００のユーザの現在位置情報を取得する現在位置情報取得手段である。ここで、現在位置情報取得部２０２ａは、端末装置１００のユーザの現在位置情報を所定時間ごと（例えば、１秒ごと、または、３分ごと等）に、すなわち、所定周期で取得してもよい。
【００３３】
また、現在位置情報取得部２０２ａは、端末装置１００にて位置発信装置５００から受信した位置情報信号を端末装置１００から受信し、当該位置情報信号から算出した位置情報を端末装置１００のユーザの現在位置情報として取得してもよい。また、現在位置情報取得部２０２ａは、ユーザにより端末装置１００において入力された現在位置についての位置座標等の位置情報を受信し、当該位置情報を端末装置１００のユーザの現在位置情報として取得してもよい。
【００３４】
また、経路取得部２０２ｂは、経路を取得する経路取得手段である。ここで、経路取得部２０２ｂは、記憶部２０６に記憶された経路情報を取得してもよい。また、経路取得部２０２ｂは、経路（案内経路）に関する経路情報を生成してもよい。また、経路取得部２０２ｂは、出発地から目的地までの案内経路、出発地から経由地までの案内経路、現在位置から目的地までの案内経路、現在位置から経由地までの案内経路、および／または、経由地から経由地までの案内経路を探索し、案内経路に関する経路情報（経路探索情報）を生成してもよい。
【００３５】
また、経路取得部２０２ｂは、案内経路を、ネットワーク情報データベース２０６ａに記憶されたネットワーク情報、および／または、交通情報データベース２０６ｂに記憶された交通情報に基づいて探索してもよい。また、経路取得部２０２ｂは、経路探索条件を満たす案内経路を探索してもよい。ここで、経路探索条件は、目的地（経由地）の到着予定時刻、目的地（経由地）の到着順序、優先される目的地（経由地）、移動手段（例えば、公共交通機関利用、自転車利用、鉄道利用、または、自動車利用（例えば、一般道優先、高速道優先、有料道優先、推奨、もしくは、抜け道使用等）など）、出発時刻、および／または、日付等に関する条件等に関する情報を含んでいてもよい。
【００３６】
また、指標量取得部２０２ｃは、単位距離あたりの、設定された指標に基づく量を取得する指標量取得手段である。ここで、指標は、移動ログ（例えば、現在位置情報取得部２０２ａにより取得された現在位置情報の経過等）に基づく移動速度であってもよい。
【００３７】
また、量は、移動種別（例えば、徒歩、自転車、電車、バス、または、自動車等）に応じたものであってもよい。例えば、指標量取得部２０２ｃは、単位距離あたりの、ユーザにより設定された指標に基づく、移動種別に応じた量を取得してもよい。
【００３８】
また、調整部２０２ｄは、単位距離、および／または、量が切りのよい数字となるように調整した調整距離、および／または、調整量を取得する調整手段である。ここで、調整部２０２ｄは、更に、単位距離および量以外の数値データが切りのよい数字となるように調整した調整数値データを取得してもよい。
【００３９】
また、出力情報生成部２０２ｅは、端末装置１００において出力させるための出力情報を生成する出力情報生成手段である。ここで、出力情報は、地図情報と、単位距離または量を示す目盛表示データと、量と、を含んでいてもよい。また、出力情報は、地図情報と、調整距離または調整量を示す目盛表示データと、調整量とを含んでいてもよい。また、出力情報は、更に、調整数値データを含んでいてもよい。
【００４０】
また、出力情報は、量に基づく目盛を付加した、地図上の二地点を結ぶ線に関する線情報を含んでいてもよい。また、出力情報は、量を表す矩形図形を含んでいてもよい。また、出力情報は、経路情報（経路探索情報）、現在位置情報、および／または、案内情報等を含んでいてもよい。
【００４１】
また、表示制御部２０２ｆは、出力情報を表示させる表示制御手段である。すなわち、表示制御部２０２ｆは、地図情報と、単位距離または量を示す目盛表示データと、量と、を表示させる地図表示制御手段であってもよい。また、表示制御部２０２ｆは、地図情報と、調整距離または調整量を示す目盛表示データと、調整量と、を表示させる調整表示制御手段であってもよい。
【００４２】
また、表示制御部２０２ｆは、量に基づく目盛を付加した、地図上の二地点を結ぶ線に関する線情報を表示させる線表示制御手段であってもよい。また、表示制御部２０２ｆは、量を表す矩形図形を表示させる矩形図形表示制御手段であってもよい。また、表示制御部２０２ｆは、更に、調整数値データを表示させてもよい。
【００４３】
ここで、表示制御部２０２ｆは、出力情報を端末装置１００に送信することにより、当該出力情報を端末装置１００において表示させてもよい。また、表示制御部２０２ｆは、出力情報を端末装置１００に送信することにより、当該出力情報を端末装置１００において表示させることにより、経路案内を実行してもよい。ここで、表示制御部２０２ｆは、端末装置１００において経路案内開始要求が入力された場合、経路案内を実行してもよい。
【００４４】
［端末装置１００の構成］
また、本実施形態における端末装置１００の構成の一例について、図３を参照して以下に説明する。図３は、本実施形態における端末装置１００の構成の一例を示すブロック図であり、該構成のうち本発明に関係する部分のみを概念的に示している。
【００４５】
ここで、図３に示すように、本実施形態の情報処理システムにおいて、端末装置１００は、概略的に、制御部１０２と記憶部１０６と位置取得部１１２と出力部と入力部１１８とを少なくとも備えている。図３において、端末装置１００は、単位距離あたりの、設定された指標に基づく量を取得し、地図情報と、単位距離または量を示す目盛表示データと、量と、を表示させる等の機能を有する。
【００４６】
端末装置１００は、例えば、一般に市販されるデスクトップ型、もしくは、ノート型のパーソナルコンピュータ等の情報処理装置、携帯電話、スマートフォン、ＰＨＳ、もしくは、ＰＤＡ等の携帯端末装置、または、走行経路案内等を行なうナビゲーション端末（例えば、カーナビゲーション装置、もしくは、ＰＮＤ（Ｐｏｒｔａｂｌｅ  Ｎａｖｉｇａｔｉｏｎ  Ｄｅｖｉｃｅ）など）等であってもよい。ここで、端末装置１００は、インターネットブラウザ等を搭載していてもよく、経路案内アプリケーション、乗換案内アプリケーション、および情報検索アプリケーション等を搭載していてもよい。
【００４７】
また、端末装置１００は、リアルタイムに現在位置測位が行えるよう、ＧＰＳ機能やＩＭＥＳ機能等を有する位置取得部１１２を備えていてもよい。また、端末装置１００は、表示部１１４と音声出力部１１６とを少なくとも含む出力部を備えていてもよい。また、端末装置１００は、位置取得部１１２、表示部１１４、音声出力部１１６、および、入力部１１８等の制御を行う入出力制御インターフェース部１０８を備えていてもよい。また、端末装置１００は、端末装置１００とネットワーク３００との間における通信制御を行う通信制御インターフェース部１０４を備えていてもよい。
【００４８】
ここで、端末装置１００が、車載のナビゲーション端末（例えば、カーナビゲーション装置等）である場合、入出力制御インターフェース部１０８は、車両のＥＣＵ（Ｅｌｅｃｔｒｏｎｉｃ  Ｃｏｎｔｒｏｌ  Ｕｎｉｔ）と接続され、ＥＣＵからの情報（センサ情報、レーダ情報、および／または、画像等）の入力を制御してもよい。また、端末装置１００が、車両のＥＣＵと接続された車載のディスプレイオーディオ等と接続可能な場合、入出力制御インターフェース部１０８は、ディスプレイオーディオ等と接続され、ディスプレイオーディオ等を介してＥＣＵからの情報の入力を制御してもよい。
【００４９】
ここで、表示部１１４は、アプリケーション等の表示画面を表示する表示手段（例えば、液晶または有機ＥＬ等から構成されるディスプレイ、モニタ、および、タッチパネル等）であってもよい。また、音声出力部１１６は、音声情報を音声として出力する音声出力手段（例えば、スピーカ等）であってもよい。また、入力部１１８は、データ入力等を行う入力手段であって、例えば、キー入力部、タッチパネル、コントロールパッド（例えば、タッチパッド、および、ゲームパッド等）、マウス、キーボード、カメラ、センサ、レーダ、および、マイク等であってもよい。
【００５０】
また、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置（例えば、ＧＰＳ衛星等）であってもよい。ここで、ＧＰＳ信号は、ＧＰＳ装置に搭載された原子時計等からの時刻、および、ＧＰＳ装置の天体暦（例えば、軌道情報等）などを含んでいてもよい。
【００５１】
また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。
【００５２】
ここで、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。
【００５３】
そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。
【００５４】
また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。
【００５５】
また、本実施形態において、制御部１０２は、位置取得部１１２にて取得された位置情報信号から、緯度、経度、および、高さ情報を含む位置情報を算出してもよい。ここで、位置情報は、緯度および経度により特定される絶対位置の他、基準となる位置からの相対位置を示すものであってもよい。
【００５６】
また、位置取得部１１２は、端末装置１００の変化量（例えば、ベクトル量等）を検出する速度センサ、加速度センサ、方位センサ、および、距離センサ等を備えていてもよい。ここで、位置取得部１１２は、速度センサにて速度を検出してもよい。また、位置取得部１１２は、加速度センサにて加速度を検出してもよい。
【００５７】
また、通信制御インターフェース部１０４は、通信回線や電話回線等に接続されるアンテナやルータ等の通信装置（図示せず）に接続されるインターフェースであってもよい。すなわち、通信制御インターフェース部１０４は、情報処理サーバ２００等と通信回線を介してデータを通信する機能を有していてもよい。
【００５８】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（ネットワーク情報データベース１０６ａ、交通情報データベース１０６ｂ、地図情報データベース１０６ｃ、案内情報データベース１０６ｄ、および、指標データベース１０６ｅ等）を格納してもよい。ここで、記憶部１０６は、各種のファイル等を一時的に記憶するものであってもよい。
【００５９】
ここで、記憶部１０６の各部（ネットワーク情報データベース１０６ａ、交通情報データベース１０６ｂ、地図情報データベース１０６ｃ、案内情報データベース１０６ｄ、および、指標データベース１０６ｅ等）については、情報処理サーバ２００ではなく端末装置１００に備えられている点を除き、各機能が情報処理サーバ２００の記憶部２０６の各部（ネットワーク情報データベース２０６ａ、交通情報データベース２０６ｂ、地図情報データベース２０６ｃ、案内情報データベース２０６ｄ、および、指標データベース２０６ｅ等）と同様であるため説明を省略する。
【００６０】
なお、記憶部１０６は、各構成要素（ネットワーク情報データベース１０６ａ、交通情報データベース１０６ｂ、地図情報データベース１０６ｃ、案内情報データベース１０６ｄ、および、指標データベース１０６ｅ等）の全部または一部を備えていてもよい。また、端末装置１００は、外部装置に備えられた同等の各構成要素をネットワーク３００を介して利用することで、各構成要素が記憶部１０６に備えられているものとしてもよい。
【００６１】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行ってもよい。例えば、制御部１０２は、これらのプログラム等により、外部装置（例えば、情報処理サーバ２００等）との間のデータ送受信処理、および／または、記憶部１０６におけるデータ入出力処理（格納処理、および、抽出処理）等を行ってもよい。
【００６２】
制御部１０２は、機能概念的に、現在位置情報取得部１０２ａ、経路取得部１０２ｂ、指標量取得部１０２ｃ、調整部１０２ｄ、出力情報生成部１０２ｅ、および、表示制御部１０２ｆを備える。なお、制御部１０２は、各構成要素（現在位置情報取得部１０２ａ、経路取得部１０２ｂ、指標量取得部１０２ｃ、調整部１０２ｄ、出力情報生成部１０２ｅ、および、表示制御部１０２ｆ等）の全部または一部を備えていてもよい。
【００６３】
ここで、現在位置情報取得部１０２ａは、端末装置１００のユーザの現在位置情報を取得する現在位置情報取得手段である。ここで、現在位置情報取得部１０２ａは、端末装置１００のユーザの現在位置情報を所定時間ごと（例えば、１秒ごと、または、３分ごと等）に、すなわち、所定周期で取得してもよい。
【００６４】
また、現在位置情報取得部１０２ａは、位置取得部１１２にて位置発信装置５００から受信した位置情報信号から算出した位置情報を端末装置１００のユーザの現在位置情報として取得してもよい。また、現在位置情報取得部１０２ａは、更に、端末装置１００のユーザの現在位置情報を情報処理サーバ２００に送信してもよい。また、現在位置情報は、取得時刻（例えば、位置情報信号に含まれる発信時刻等）を含んでいてもよい。
【００６５】
また、現在位置情報取得部１０２ａは、ユーザにより入力部１１８を介して入力された現在位置についての位置座標等の位置情報を端末装置１００のユーザの現在位置情報として取得してもよい。ここで、ユーザにより入力部１１８を介して入力された現在位置情報に基づく現在位置は、ユーザが現実に存在する位置であってもよく、ユーザにより任意に選択された仮想の現在位置（一例として、東京にいるユーザにより選択された大阪の駅や空港等の任意の地点）であってもよい。
【００６６】
例えば、現在位置情報取得部１０２ａは、表示部１１４に表示された地図情報上で、ユーザにより入力部１１８を介して指定（例えば、タッチパネルを介して指定等）された表示位置に対応する地点情報を端末装置１００のユーザの現在位置情報として取得してもよい。
【００６７】
また、経路取得部１０２ｂは、経路を取得する経路取得手段である。ここで、経路取得部１０２ｂは、記憶部１０６に記憶された経路情報を取得してもよい。また、経路取得部１０２ｂは、経路（案内経路）に関する経路情報を生成してもよい。また、経路取得部１０２ｂは、出発地から目的地までの案内経路、出発地から経由地までの案内経路、現在位置から目的地までの案内経路、現在位置から経由地までの案内経路、および／または、経由地から経由地までの案内経路を探索し、案内経路に関する経路情報（経路探索情報）を生成してもよい。
【００６８】
また、経路取得部１０２ｂは、案内経路を、ネットワーク情報データベース１０６ａに記憶されたネットワーク情報、および／または、交通情報データベース１０６ｂに記憶された交通情報に基づいて探索してもよい。また、経路取得部１０２ｂは、経路探索条件を満たす案内経路を探索してもよい。
【００６９】
また、指標量取得部１０２ｃは、単位距離あたりの、設定された指標に基づく量を取得する指標量取得手段である。ここで、指標は、移動ログ（例えば、現在位置情報取得部１０２ａにより取得された現在位置情報の経過等）に基づく移動速度であってもよい。例えば、指標量取得部１０２ｃは、単位距離あたりの、ユーザにより設定された指標に基づく、移動種別に応じた量を取得してもよい。
【００７０】
また、調整部１０２ｄは、単位距離、および／または、量が切りのよい数字となるように調整した調整距離、および／または、調整量を取得する調整手段である。ここで、調整部１０２ｄは、更に、単位距離および量以外の数値データが切りのよい数字となるように調整した調整数値データを取得してもよい。
【００７１】
例えば、調整部１０２ｄは、単位距離および量以外の数値データである緯度経度が、北緯３５°４０’０１．６”、東経１３９°４２’５４．２”である場合、切りのよい数字となるように調整した調整数値データ（北緯３５度、東経１３９度）を取得してもよい。
【００７２】
また、出力情報生成部１０２ｅは、出力させるための出力情報を生成する出力情報生成手段である。ここで、出力情報生成部１０２ｅは、出力情報を表示部１１４に表示させるための出力情報を生成してもよい。
【００７３】
また、表示制御部１０２ｆは、出力情報を表示させる表示制御手段である。すなわち、表示制御部１０２ｆは、地図情報と、単位距離または量を示す目盛表示データと、量と、を表示させる地図表示制御手段であってもよい。また、表示制御部１０２ｆは、地図情報と、調整距離または調整量を示す目盛表示データと、調整量と、を表示させる調整表示制御手段であってもよい。
【００７４】
また、表示制御部１０２ｆは、量に基づく目盛を付加した、地図上の二地点を結ぶ線に関する線情報を表示させる線表示制御手段であってもよい。また、表示制御部１０２ｆは、量を表す矩形図形を表示させる矩形図形表示制御手段であってもよい。また、表示制御部１０２ｆは、更に、調整数値データを表示させてもよい。
【００７５】
ここで、表示制御部１０２ｆは、経路案内の実行を制御してもよい。また、表示制御部１０２ｆは、出力情報を表示部１１４に表示させることにより、経路案内を実行してもよい。ここで、表示制御部１０２ｆは、入力部１１８を介して経路案内開始要求が入力された場合、経路案内を実行してもよい。また、表示制御部１０２ｆは、出力情報を出力部を介して出力させてもよい。
【００７６】
［情報処理システムの構成（その１）］
ここで、本実施形態における情報処理システムの構成の一例について、図４を参照して以下に説明する。図４は、本実施形態における情報処理システムの構成の一例を示すブロック図である。
【００７７】
図４に示すように、本実施形態の情報処理システムは、概略的に、地図情報提供および経路情報提供等を行うことができる情報処理サーバ２００、および、単数または複数の端末装置１００がネットワーク３００を介して通信可能に接続して構成される。
【００７８】
図４に示すように、本実施形態の情報処理システムにおいて、情報処理サーバ２００は、概略的に、制御部２０２と、情報処理サーバ２００とネットワーク３００との間における通信制御を行う通信制御インターフェース部２０４と、記憶部２０６とを少なくとも備えている。一例として、図４に示すように、制御部２０２は、経路取得部２０２ｂ、指標量取得部２０２ｃ、調整部２０２ｄ、および、出力情報生成部２０２ｅ等を備えていてもよい。また、図４に示すように、記憶部２０６は、ネットワーク情報データベース２０６ａ、交通情報データベース２０６ｂ、地図情報データベース２０６ｃ、案内情報データベース２０６ｄ、および、指標データベース２０６ｅ等を備えていてもよい。
【００７９】
また、図４に示すように、本実施形態の情報処理システムにおいて、端末装置１００は、概略的に、制御部１０２と、端末装置１００とネットワーク３００との間における通信制御を行う通信制御インターフェース部１０４と、記憶部１０６と、位置取得部１１２と、出力部（表示部１１４および音声出力部１１６）と、入力部１１８と、位置取得部１１２、表示部１１４、音声出力部１１６、および、入力部１１８等の制御を行う入出力制御インターフェース部１０８と、を少なくとも備えている。一例として、図４に示すように、制御部１０２は、現在位置情報取得部１０２ａ、および、表示制御部１０２ｆを備えていてもよい。また、記憶部１０６は、情報処理サーバ２００から送信される出力情報等を記憶していてもよい。
【００８０】
以上で、本実施形態における情報処理システムの構成の一例の説明を終える。
【００８１】
［情報処理システムの処理］
次に、このように構成された本実施形態における情報処理システムの処理の一例について、以下に図５乃至図１１を参照して説明する。
【００８２】
［情報処理システムの処理（その１）］
まず、本実施形態における情報処理システムの処理の一例について、以下に図５および図６を参照して説明する。図５は、本実施形態における情報処理システムの処理の一例を示すフローチャートである。
【００８３】
図５に示すように、まず、情報処理サーバ２００の指標量取得部２０２ｃは、ユーザにより端末装置１００の入力部１１８を介して消費カロリーが選択された場合、消費カロリーを指標として設定する（ステップＳＡ−１）。すなわち、本実施形態においては、予めユーザにより選択された消費カロリー等の指標を設定してもよい。
【００８４】
そして、情報処理サーバ２００の出力情報生成部２０２ｅは、ユーザにより端末装置１００にて検索されたユーザの現在位置に関する現在位置情報、または、所定位置に関する位置情報を受信し、当該現在位置または当該所定位置を含む地図に関する地図情報を含む出力情報を生成し、端末装置１００に送信する。そして、端末装置１００の表示制御部１０２ｆは、情報処理サーバ２００から送信された出力情報を受信し、ユーザの現在位置または所定位置を含む地図に関する地図情報を表示部１１４に表示させる（ステップＳＡ−２）。
【００８５】
すなわち、本実施形態においては、ユーザが現在位置または所定位置を検索してその位置をディスプレイに表示させてもよい。ここで、表示制御部１０２ｆは、更に、現在位置情報取得部１０２ａにより取得された端末装置１００のユーザの現在位置情報を表示部１１４に表示させてもよい。
【００８６】
そして、情報処理サーバ２００の指標量取得部２０２ｃは、端末装置１００にて表示された地図情報に基づく地図の縮尺に対応する距離目盛（距離単位目盛１００ｍ）を特定する（ステップＳＡ−３）。すなわち、本実施形態においては、地図を表示する際、地図の縮尺率に対応する距離目盛を特定してもよい。
【００８７】
そして、情報処理サーバ２００の指標量取得部２０２ｃは、距離目盛あたりの、ユーザにより設定された指標である消費カロリーに基づく消費カロリー量（５ｋｃａｌ）を取得する（ステップＳＡ−４）。すなわち、本実施形態においては、特定した距離目盛の単位に対応する消費カロリー量を求めてもよい。
【００８８】
そして、情報処理サーバ２００の出力情報生成部２０２ｅは、距離目盛（距離単位目盛１００ｍ）を示す目盛表示データ（距離目盛表示データ）と、消費カロリー量と、を含む出力情報を生成する。そして、端末装置１００の表示制御部１０２ｆは、情報処理サーバ２００から送信された出力情報を受信し、ユーザの現在位置または所定位置を含む地図に関する地図情報上に、距離目盛（距離単位目盛１００ｍ）を示す距離目盛表示データと、消費カロリー量（５ｋｃａｌ）と、を表示部１１４に表示させる（ステップＳＡ−５）。すなわち、本実施形態においては、距離目盛に５ｋｃａｌを表示させてもよい。
【００８９】
このように、本実施形態においては、表示される地図の縮尺から、設定された指標の単位距離あたりの量を求め、距離の縮尺表示に加えて表示させてもよい。また、本実施形態においては、目盛り単位量である距離と設定された前記指標の双方が切りのよい数字となるように、縮尺の目盛りの長さを調整して（例えば、数字を丸め込んで）表示させてもよい。
【００９０】
例えば、本実施形態においては、距離目盛が３０ｍであって、距離目盛あたりの消費カロリー量が５．０３ｋｃａｌであった場合、距離目盛表示データ（３０ｍ）と、消費カロリー量（５ｋｃａｌ）と、を表示部１１４に表示させてもよい。また、本実施形態においては、地図上の基準となる基準点と所定地点とを結ぶ線を単位とする目盛を示す目盛表示データを表示させてもよい。
【００９１】
ここで、図６を参照して、本実施形態における表示画面の一例について説明する。図６は、本実施形態における表示画面の一例を示す図である。
【００９２】
図６に示すように、本実施形態における表示画面においては、地図情報上に、出発地から目的地（Ｇ）までの経路に関する経路情報と、距離単位目盛（３０ｍ）を示す目盛表示データと、目盛表示データに示された距離を移動した場合のカロリー量（５ｋｃａｌ）が表示されてもよい。これにより、ユーザは、目盛表示データの距離を移動すれば大体５ｋｃａｌ消費されることがわかる。
【００９３】
図５に戻り、情報処理サーバ２００の出力情報生成部２０２ｅは、ユーザにより端末装置１００の入力部１１８を介して縮尺変更の操作が入力された場合、縮尺変更の操作に関する操作情報を受信し、変更された縮尺に対応する地図に関する地図情報を含む出力情報を生成する（ステップＳＡ−６）。例えば、縮尺変更の操作は、縮小操作、または、拡大操作であってもよい。
【００９４】
そして、端末装置１００の表示制御部１０２ｆは、情報処理サーバ２００から送信された出力情報を受信し、変更された縮尺に対応する地図に関する地図情報を表示部１１４に表示させる（ステップＳＡ−７）。すなわち、本実施形態においては、ユーザの操作に対応する縮尺地図を出力させてもよい。
【００９５】
そして、情報処理サーバ２００の出力情報生成部２０２ｅは、変更された縮尺に対応する、距離目盛（距離単位目盛１００ｍ）を示す距離目盛表示データを含む出力情報を生成する。そして、端末装置１００の表示制御部１０２ｆは、情報処理サーバ２００から送信された出力情報を受信し、変更された縮尺に対応する地図に関する地図情報上に、変更された縮尺に対応する距離目盛表示データと、消費カロリー量（５ｋｃａｌ）と、を表示部１１４に表示させ（ステップＳＡ−８）、処理を終了する。すなわち、本実施形態においては、地図情報を出力させる際、その縮尺に対応する距離目盛を表示させてもよい。
【００９６】
以上で、本実施形態における情報処理システムの処理（その１）の説明を終える。
【００９７】
［情報処理システムの処理（その２）］
まず、本実施形態における情報処理システムの処理の一例について、以下に図７乃至図１１を参照して説明する。図７は、本実施形態における情報処理システムの処理の一例を示すフローチャートである。
【００９８】
図７に示すように、まず、情報処理サーバ２００の指標量取得部２０２ｃは、ユーザにより端末装置１００の入力部１１８を介して歩行速度が選択された場合、ユーザにより予め定められている歩行速度に基づいて、歩行速度を指標として設定する（ステップＳＢ−１）すなわち、本実施形態においては、予め定められている歩行速度の中から歩行速度を指標として設定してもよい。
【００９９】
ここで、指標量取得部２０２ｃは、ユーザが歩行速度を設定していない場合、標準速度を指標として設定してもよい。また、指標量取得部２０２ｃは、移動ログなどのデータを用いて、ユーザの普段の歩行速度を求めてもよい。このように、本実施形態においては、ユーザの移動ログを使って移動速度を求め、それを指標（基準）にしてもよい。
【０１００】
そして、情報処理サーバ２００の指標量取得部２０２ｃは、端末装置１００にて表示させる地図情報に基づく地図の縮尺に対応する距離目盛あたりの、ユーザにより設定された指標である歩行速度に基づく歩行時間を取得する（ステップＳＢ−２）。すなわち、本実施形態においては、地図を表示する際、表示される地図の縮尺に対応する距離目盛と設定されている歩行速度から歩行時間を求めてもよい。
【０１０１】
そして、情報処理サーバ２００の出力情報生成部２０２ｅは、距離目盛を示す目盛表示データ（距離目盛表示データ）と、歩行時間と、を含む出力情報を生成する。そして、端末装置１００の表示制御部１０２ｆは、情報処理サーバ２００から送信された出力情報を受信し、地図情報上に、距離目盛を示す距離目盛表示データと、歩行時間と、を表示部１１４に表示させ（ステップＳＢ−３）、処理を終了する。
【０１０２】
すなわち、本実施形態においては、求めた歩行時間を距離目盛表示データとともに表示させてもよい。ここで、表示制御部１０２ｆは、歩行時間を表す矩形図形（メッシュ表示）を表示させてもよい。このように、本実施形態においては、地図を見るだけで、距離以外の（距離に関連した）大まかな情報を得ることが可能になる。
【０１０３】
ここで、図８乃至図１１を参照して、本実施形態における表示画面の一例について説明する。図８乃至図１１は、本実施形態における表示画面の一例を示す図である。
【０１０４】
まず、図８に示すように、本実施形態における表示画面においては、地図情報上に、出発地から目的地（Ｇ）までの経路に関する経路情報と、距離単位目盛（３０ｍ）を示す目盛表示データと、目盛表示データに示された距離を移動するのにかかる時間（１分）が表示されている。これにより、ユーザは、目盛表示データの距離を移動するのに大体１分かかることがわかる。
【０１０５】
また、図９に示すように、本実施形態における表示画面においては、地図情報上に、出発地から目的地（Ｇ）までの経路に関する経路情報と、歩行時間を表す単位ブロックである矩形図形（メッシュ表示）と、メッシュ表示に示された距離を移動するのにかかる時間（２分）が表示されてもよい。
【０１０６】
これにより、本実施形態において、ユーザは、スタートからゴールまで、２分のブロック４つにまたがっているから、だいたい６−８分位の所要時間だと（ルート線がなくても）判断できる。
【０１０７】
次に、図１０に示すように、本実施形態において、図９のように表示部１１４に表示された矩形図形（メッシュ表示）がユーザによりなぞられた場合、なぞられたブロックが色づけされて表示されてもよい。更に、本実施形態において、なぞられたブロックに基づく歩行時間が計測され、計測された歩行時間（８分）を表示させてもよい。これにより、ユーザは、簡単に距離、および、歩行時間等を把握することができる。
【０１０８】
また、図１１に示すように、本実施形態において、図１０のように表示部１１４に表示された距離を移動するのにかかる時間（２分）に対して、ユーザにより変更指示（１分）が入力された場合、矩形図形（メッシュ表示）の大きさが１／４（１分の幅）に変更されて表示され、距離を移動するのにかかる時間も１分に変更された表示をさせてもよい。
【０１０９】
すなわち、図１１に示すように、本実施形態においては、メッシュの幅を変更されると、分表示が変更され、分表示を変更（加減）されると、メッシュの幅の表示が変更されてもよい。このように、本実施形態においては、指標の単位量を表す矩形図を表示させてもよい。また、本実施形態においては、ユーザの移動ログを使って移動速度を求め、それを指標（基準）にしてもよい。
【０１１０】
また、本実施形態においては、ユーザの移動ログなどから平均移動速度を算出し、平均移動速度に基づいて、ユーザごとの各スケールでの所要時間を表示させてもよい。また、本実施形態においては、ユーザの燃費ログなどから平均燃費を算出し、平均燃費に基づいて、ユーザごとの各スケールでの燃費（消費燃料）を表示させてもよい。
【０１１１】
また、本実施形態においては、ユーザが登録した個人情報（年齢、性別、身長、体重、体または、脂肪率等）などから距離あたりの消費カロリーを算出し、消費カロリーに基づいて、ユーザごとの各スケールでの消費カロリーを表示させてもよい。
【０１１２】
また、本実施形態においては、表示している地図のスケール、または、端末装置１００の画面サイズから、設定された指標の単位量を表すブロック、または、サークル等を表示させてもよい。また、本実施形態においては、表示している地域、または、その日の天気などのリアルタイム情報から、距離に対する紫外線照射量（シミができる確率）などを表示させてもよい。
【０１１３】
以上で、本実施形態における情報処理システムの処理の一例の説明を終える。なお、本実施形態における情報処理システムの処理において、端末装置１００にて行われるとして説明した処理を、情報処理サーバ２００にて行ってもよく、情報処理サーバ２００にて行われるとして説明した処理を、端末装置１００にて行ってもよい。
【０１１４】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１１５】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１１６】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１１７】
また、端末装置１００、および、情報処理サーバ２００に関して、図示の各構成要素は機能概念的なものであり、必ずしも物理的に図示の如く構成されていることを要しない。
【０１１８】
例えば、端末装置１００、および、情報処理サーバ２００の各装置が備える処理機能、特に制御部１０２、および、制御部２０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する、コンピュータに本発明に係る方法を実行させるためのプログラム化された命令を含む、一時的でないコンピュータ読み取り可能な記録媒体に記録されており、必要に応じて端末装置１００、および、情報処理サーバ２００に機械的に読み取られる。すなわち、ＲＯＭまたはＨＤＤなどの記憶部１０６、および、記憶部２０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１１９】
また、このコンピュータプログラムは、端末装置１００、および、情報処理サーバ２００に対して任意のネットワーク３００を介して接続されたアプリケーションプログラムサーバに記憶されていてもよく、必要に応じてその全部または一部をダウンロードすることも可能である。
【０１２０】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ（登録商標）、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０１２１】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１２２】
また、端末装置１００、および、情報処理サーバ２００は、既知のパーソナルコンピュータ、ワークステーション等の情報処理装置として構成してもよく、また、該情報処理装置に任意の周辺装置を接続して構成してもよい。また、端末装置１００、および、情報処理サーバ２００は、該情報処理装置に本発明の方法を実現させるソフトウェア（プログラム、データ等を含む）を実装することにより実現してもよい。
【０１２３】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１２４】
以上詳述したように、本発明によれば、地図の縮尺を、距離以外の指標で表現することができる情報処理システム、情報処理プログラム、情報処理装置、および、情報処理方法を提供することができるので、ナビゲーションを支援する情報機器や情報処理分野などの様々な分野において極めて有用である。
【符号の説明】
【０１２５】
１００  端末装置
１０２  制御部
１０２ａ  現在位置情報取得部
１０２ｂ  経路取得部
１０２ｃ  指標量取得部
１０２ｄ  調整部
１０２ｅ  出力情報生成部
１０２ｆ  表示制御部
１０４  通信制御インターフェース部
１０６  記憶部
１０６ａ  ネットワーク情報データベース
１０６ｂ  交通情報データベース
１０６ｃ  地図情報データベース
１０６ｄ  案内情報データベース
１０６ｅ  指標データベース
１０８  入出力制御インターフェース部
１１２  位置取得部
１１４  表示部
１１６  音声出力部
１１８  入力部
２００  情報処理サーバ
２０２  制御部
２０２ａ  現在位置情報取得部
２０２ｂ  経路取得部
２０２ｃ  指標量取得部
２０２ｄ  調整部
２０２ｅ  出力情報生成部
２０２ｆ  表示制御部
２０４  通信制御インターフェース部
２０６  記憶部
２０６ａ  ネットワーク情報データベース
２０６ｂ  交通情報データベース
２０６ｃ  地図情報データベース
２０６ｄ  案内情報データベース
２０６ｅ  指標データベース
３００  ネットワーク
５００  位置発信装置
【図１】
2020095048.tif 000003
【図２】
2020095048.tif 000004
【図３】
2020095048.tif 000005
【図４】
2020095048.tif 000006
【図５】
2020095048.tif 000007
【図６】
2020095048.tif 000008
【図７】
2020095048.tif 000009
【図８】
2020095048.tif 000010
【図９】
2020095048.tif 000011
【図１０】
2020095048.tif 000012
【図１１】
2020095048.tif 000013